(57)【要約】【課題】高い位置に設置されたエレベータ制御盤における点検作業を容易にかつ安全に行うことが可能な制御盤点検台を提供すること。【解決手段】エレベータ制御盤の点検を行うための昇降はしご１２と、前記昇降はしごを前記エレベータ制御盤の設けられている壁面に固定する固定支柱と、前記昇降はしごを制御盤昇降路ピットの底面に固定する固定腕と、前記昇降はしごの途中に取り付けて昇降路を延長し、より高い作業場所での作業用足場を確保する複数の作業床１４と、前記複数作業床の最上位作業床と前記固定支柱に固定することにより取り付け作業員の足場からの転落を防止する安全手すり１５とを備えて成る。【選択図】  図１
2004182351.tif 000002
【特許請求の範囲】
【請求項１】
エレベータ制御盤の点検を行うためのはしごと、
前記はしごを前記エレベータ制御盤の設けられている壁面に固定する固定支柱と、
前記はしごを制御盤昇降路ピットの底面に固定する固定腕と、
前記はしごの途中に取り付けて昇降路を延長し、より高い作業場所での作業用足場を確保する複数の作業床と、
前記複数作業床の最上位作業床と前記固定支柱に固定することにより取り付け作業員の足場からの転落を防止する手すりとを備えて成ることを特徴とする制御盤点検台。
【請求項２】
前記請求項１に記載の制御盤点検台であって、
これをエレベータ点検作業用の最下層フロア内で格納する場所に格納・固定する開閉式の格納固定レバーと、
前記格納固定レバーに設けられ格納固定レバーの開閉に対応してオン／オフの電気信号を発生する安全スイッチと、
前記安全スイッチのオン／オフをリレースイッチにより点灯・消灯を行う安全表示回路と、
前記格納固定レバーと前記安全スイッチと前記安全表示回路により、制御盤昇降路ピット置き点検台が取り出された場合に点灯して点検作業中を警告するとともに、格納した場合に消灯して作業終了を通知する各所に配置された点検作業中の警告表示灯とを更に備えて成ることを特徴とする制御盤点検台。
【請求項３】
エレベータ点検作業用の最下階フロアにおけるエレベータ制御盤の点検に必要な昇降用手段としての着脱式のはしごと、
エレベータ点検作業用最下階フロアのエレベータ制御盤に設置した複数の作業床と、
前記別置き昇降はしごを取り付けて前記作業床に昇降路を繋ぐ引き出し・格納式の昇降はしご取り付けアングルとを備えて成ることを特徴とする制御盤点検台。
【発明の詳細な説明】
【０００１】
【発明の属する技術分野】
本発明は、エレベータ制御盤点検のために昇降路内ピット部に設置する点検台などに関する。
【０００２】
【従来の技術】
通常、エレベータの制御盤は最下階フロアより高い位置に設定されていることが多く、制御盤の点検作業は市販の脚立などを別置き作業台として用い点検作業を行ってきた。この脚立を用いる作業方法では、脚立を固定できず足場が不安定となり作業の安全面に大きな問題があった。また、脚立がピットに格納できないこともあり、この場合は別途置き場所も確保しなければならないという問題もあった。
【０００３】
一方、点検作業の安全面では作業中であることをエレベータの利用者に対して周知させる適当な方法が無く、誤ってエレベータを動作させてしまう危険性があった。
【０００４】
【発明が解決しようとする課題】
本発明は、従来の上述のような問題点に鑑みてなされたもので、高い位置に設置されたエレベータ制御盤における点検作業を容易にかつ安全に行うことが可能な制御盤点検台を提供することを目的とする。
【０００５】
【課題を解決するための手段】
本発明の請求項１によれば、エレベータ制御盤の点検を行うためのはしごと、前記はしごを前記エレベータ制御盤の設けられている壁面に固定する固定支柱と、前記はしごを制御盤昇降路ピットの底面に固定する固定腕と、前記はしごの途中に取り付けて昇降路を延長し、より高い作業場所での作業用足場を確保する複数の作業床と、前記複数作業床の最上位作業床と前記固定支柱に固定することにより取り付け作業員の足場からの転落を防止する手すりとを備えて成ることを特徴とする制御盤点検台を提供する。
【０００６】
本発明の請求項２によれば、前記請求項１に記載の制御盤点検台であって、これをエレベータ点検作業用の最下層フロア内で格納する場所に格納・固定する開閉式の格納固定レバーと、前記格納固定レバーに設けられ格納固定レバーの開閉に対応してオン／オフの電気信号を発生する安全スイッチと、前記安全スイッチのオン／オフをリレースイッチにより点灯・消灯を行う安全表示回路と、前記格納固定レバーと前記安全スイッチと前記安全表示回路により、制御盤昇降路ピット置き点検台が取り出された場合に点灯して点検作業中を警告するとともに、格納した場合に消灯して作業終了を通知する各所に配置された点検作業中の警告表示灯とを更に備えて成ることを特徴とする制御盤点検台を提供する。
【０００７】
本発明の請求項３によれば、エレベータ点検作業用の最下階フロアにおけるエレベータ制御盤の点検に必要な昇降用手段としての着脱式のはしごと、エレベータ点検作業用最下階フロアのエレベータ制御盤に設置した複数の作業床と、前記別置き昇降はしごを取り付けて前記作業床に昇降路を繋ぐ引き出し・格納式の昇降はしご取り付けアングルとを備えて成ることを特徴とする制御盤点検台を提供する。
【０００８】
【発明の実施の形態】
以下、本発明の実施形態について図面を用いて説明する。
【０００９】
図１（ａ）（ｂ）に、本発明の一実施形態による制御盤点検台の全体構成例を示す。即ち、この制御盤点検台は、昇降はしご固定支柱１１と、昇降はしご１２と、昇降はしご固定腕１３と、作業床１４と、最上位の作業床１４に取り付ける安全手すり１５とから成る。
【００１０】
昇降はしご１２は、下部は通常のはしごになっており、上部には作業床を支えるブラケットを有する。図１（ｂ）に示すように、昇降はしご固定腕１３は昇降はしご固定支柱１１及び昇降はしご１２を底辺で支え固定する。作業床１４は、昇降はしご固定腕１３と、昇降はしご１２に上、中段に１つまたは、複数取り付けて固定することが可能になっている。
【００１１】
次に、この制御盤点検台の細部について図２（ａ）（ｂ）と図３（ａ）（ｂ）を用いて説明する。まず、昇降はしご１２はピット側壁部の昇降はしご固定支柱１１とピットフロアの昇降はしご固定腕１３に固定する。作業床１４は、作業者がこの上に乗って制御盤の点検作業を行うためのものであり、図２（ａ）に示すように、作業床支えブラケット２１に横から乗せて昇降はしご固定支柱１１の作業床固定穴２２に挿入して固定する。
【００１２】
また、安全手すり１５は作業者が点検作業を行うときに、作業者の安全を確保するためのものであり、図３（ａ）に示すようにその下端を上方から作業床１４の差込口３１に挿入し、安全手すり１５の横バーを昇降はしご固定支柱１１のボルト３２で固定する（図３（ｂ）。
【００１３】
これにより、制御盤の高いところを点検する場合でも作業床１４を複数枚取り付け、最上位の作業床１４に安全手すり１５を取り付けるだけで容易で安全な作業をも可能とさせる点検台を設置することができる。
【００１４】
作業床１４を使用した場合における最上位作業床１４を補強する例を図４に示す。即ち、中段作業床４１は前述した方法でそれぞれ昇降はしご固定支柱１１と昇降はしご１２に固定するが、最上段作業床４２のみ補強腕４３にて固定する。このように補強腕４３により最上段作業床４２を補強すれば、最上位作業床４２の強度を増すことができる。
【００１５】
また、この制御盤点検台はピット内にその格納場所を有し、容易に格納できるだけでなく、図５に示すような格納固定レバーに安全スイッチを設けることにより、ピット置き点検台が格納場所から取り出された場合に、安全スイッチをオフにしてエレベータかご内や乗り場、および管理・監視室などの点検作業中の警告灯を点灯させるとともにエレベータを停止させるなどして、作業員の安全を確保する機能をも有する。
【００１６】
ピット置き点検台格納場所の格納固定レバーは、昇降はしご格納レバー５１と、昇降はしご格納安全スイッチ５２から構成され、昇降はしご１２を取り出すために昇降はしご格納レバー５１を矢印の方向に開くと昇降はしご格納安全スイッチ５２が切れて点検作業中の警告灯を点灯させる。昇降はしご１２が取り出されている間（点検作業中）は、この昇降はしご格納レバー５１は常に開かれたままとなり、昇降はしご格納安全スイッチ５２が切れた状態を維持する。昇降はしご１２を格納して昇降はしご格納レバー５１を閉じると昇降はしご格納安全スイッチ５２はオンとなり、点検作業中の警告灯を消灯させる。
【００１７】
図６に、昇降はしご１２の格納場所における昇降はしご格納固定レバー５１の昇降はしご格納安全スイッチ５２を用いた点検作業表示灯の回路例を示す。
【００１８】
点検作業表示灯回路は、昇降はしご格納安全スイッチ５２と、昇降はしご格納安全スイッチ５２の接点であるリレー６１と、リレー６１の接点であるリレー接点６２と、リレー接点６２を介して点灯するエレベータかご内警告表示灯６３と、乗り場警告表示灯６４とから構成される。昇降はしご格納安全スイッチ５２をオフにすることによりリレー接点６１がオンとなり、リレー接点６２をオンにすることによりエレベータかご内警告表示灯６３と乗り場警告表示灯６４が点灯する。これにより、エレベータかご内や乗り場、ビル・エレベータの管理・監視室などがある場合はそれらの警告灯などを点灯させて、点検作業中である旨を通知し、点検作業の安全確保することができる。
【００１９】
前記実施形態における制御盤昇降路点検台は、昇降はしごに作業床や安全手すりを取り付ける方法を取ったが、作業床と昇降はしごを別々にして取り付けや収納を行える構成であっても良く図７にその例を示す。
【００２０】
この実施形態では作業床（複数枚）７１はピットの壁面の制御盤にすでに取り付けられていて、昇降はしご７２を使う場合に格納式アングル７３を引き出して取り付ける。この方法では昇降はしご７２の構造を簡素化でき、且つ小さくすることができ、したがって昇降はしご７２に収納も場所を取らないものとすることができる利点がある。
【００２１】
また、前述の格納安全スイッチなどを格納式アングル７３に設置して同様の機能を有するものとすれば、格納式アングル７３を引き出して昇降はしご７２を取り付けることによって点検作業警告灯を点灯させ、作業の安全を確保できることになる。
【００２２】
【発明の効果】
以上述べたように本発明によれば、最下階フロアより上部の、高い位置に設置されたエレベータ制御盤における点検作業を容易にかつ安全に行うことが可能な制御盤点検台が得られる。
【００２３】
また、昇降はしごが格納場所に格納されていない場合のは、警告灯を点灯させれるようにすれば、さらに点検作業の安全を確保することが可能な制御盤点検台を得られる効果がある。
【図面の簡単な説明】
【図１】本発明における一実施形態の全体構成例を示す図。
【図２】本発明における一実施形態の作業床の部分構成例を示す図。
【図３】本発明における一実施形態の安全手すりの部分構成例を示す図。
【図４】本発明における一実施形態の上、中段作業床の部分構成例を示す図。
【図５】本発明における一実施形態の昇降はしごの格納部の部分構成例を示す図。
【図６】本発明における一実施形態の点検作業表示灯の回路例を示す図。
【図７】本発明における他の実施形態の全体構成例を示す図。
【符号の説明】
１１・・・昇降はしご固定支柱、
１２、７２・・・昇降はしご、
１３・・・昇降はしご固定腕、
１４、７１・・・作業床、
１５・・・安全手すり、
２１・・・作業床支えブラケット、
２２・・・作業床固定穴、
３１・・・差込口、
３２・・・ボルト、
４１・・・中段作業床、
４２・・・上段作業床、
４３・・・補強腕、
５１・・・昇降はしご格納レバー、
５２・・・昇降はしご格納安全スイッチ、
６１・・・リレー、
６２・・・リレー接点、
６３・・・エレベータかご内警告表示灯、
６４・・・乗り場警告表示灯、
７３・・・格納式アングル。
【図１】
2004182351.tif 000003
【図２】
2004182351.tif 000004
【図３】
2004182351.tif 000005
【図４】
2004182351.tif 000006
【図５】
2004182351.tif 000007
【図６】
2004182351.tif 000008
【図７】
2004182351.tif 000009